(57)【要約】      （修正有）【課題】ポケット内の物品がはみ出して落ちたり、紛失するのを防止でき、かつ着用時の美観も保持されるズボンのポケット構成を提供する。【解決手段】ズボン本体のズボンの脚部に設置され、第一側辺と、第二側辺と、第三側辺と、第四側辺とを含み、且つ第二側辺、第三側辺及び第四側辺がズボンの脚部の生地に縫合されることでポケットが形成され、第一側辺の一端は上部開口を有するアウター生地と、ズボンの脚部の生地とアウター生地との間に設けられ、第一側辺と、第二側辺と、第三側辺と、第四側辺とを含み、第一側辺、第二側辺及び第三側辺がズボンの脚部の生地に縫合されることで収納空間が形成され、且つ第四側辺の一端には下部開口を有する第一縫い目と、を備える。物品をポケットに入れると、物品のポケットからはみ出る部分が第一縫い目の収納空間内に納置され、物品が落ちて紛失するのを防止できる。【選択図】図１
0003205460.tif 000002
【実用新案登録請求の範囲】
【請求項１】
ズボン本体のズボンの脚部に設置されるズボンのポケット構成であって、
第一側辺と、第二側辺と、第三側辺と、第四側辺とを含み、且つ前記第二側辺、前記第三側辺及び前記第四側辺が前記ズボンの脚部の生地に縫合されることでポケットが形成され、前記第一側辺の一端には上部開口を有するアウター生地と、
前記ズボンの脚部の生地と前記アウター生地との間に設けられ、第一側辺と、第二側辺と、第三側辺と、第四側辺とを含み、前記第一側辺、前記第二側辺及び前記第三側辺が前記ズボンの脚部の生地に縫合されることで収納空間が形成され、前記第四側辺の一端には下部開口を有する第一縫い目と、を備えることを特徴とする、
ズボンのポケット構成。
【請求項２】
前記第一縫い目の第一側辺は前記アウター生地の第一側辺の位置に対応することを特徴とする、請求項１に記載のズボンのポケット構成。
【請求項３】
前記第一縫い目は弾性片体であることを特徴とする、請求項１に記載のズボンのポケット構成。
【請求項４】
前記ズボンの脚部の生地は第一生地及び第二生地に更に分けられ、前記第一縫い目の第一側辺は前記第一生地に縫合され、前記第二生地には、第一側辺と、第二側辺と、第三側辺と、第四側辺とを備える第一延伸片が設けられ、また、前記第一延伸片の第一側辺は前記ズボン本体のウエストバンド部に縫合され、前記第一延伸片の前記第二側辺、前記第三側辺、及び前記第四側辺は前記第二生地に縫合されることを特徴とする、請求項１に記載のズボンのポケット構成。
【請求項５】
前記第一延伸片のポケットに向けられる表面に縫合される第二縫い目を更に有することを特徴とする、請求項４に記載のズボンのポケット構成。
【請求項６】
前記第二縫い目は前記第一縫い目に対する位置に設置され、且つ前記第二縫い目の面積は前記第一縫い目の面積より大きいことを特徴とする、請求項５に記載のズボンのポケット構成。
【請求項７】
前記第一生地の内側には、第一側辺と、第二側辺と、第三側辺と、第四側辺とを備える第二延伸片が更に設けられ、また、前記第二延伸片の第四側辺は前記第一生地及び前記第一縫い目の第一側辺に縫合され、前記第一延伸片の第二側辺及び第三側辺は前記第二延伸片の第二側辺及び第三側辺に相互に縫合され、前記第二延伸片の第一側辺も前記ズボン本体のウエストバンド部も縫合されることを特徴とする、請求項４乃至６の内の何れか１項に記載のズボンのポケット構成。
【考案の詳細な説明】
【技術分野】
【０００１】
本考案は、ポケット内の物品がはみ出して落ちたり、紛失するのを防止させ、且つ美観に影響しないズボンのポケット構成に関する。
【背景技術】
【０００２】
人々が着用する衣服は人体の部位に合わせて上半身部位及び下半身部位に大きく分けられる。下半身部位に含まれるズボンは種類が多く、用途毎にジーパン、カジュアルパンツ、パジャマのパンツ等に分けられ、その中でもジーパンが最もよく人々に着用されている。
【考案の概要】
【考案が解決しようとする課題】
【０００３】
一般的なズボンは、後側の臀部に近接される位置にポケットが設計されており、使用者が物品を入れるために使用される。例えば、財布、小銭、携帯電話等が入れられるが、使用者が立ったり座ったりする際に、ポケットの中の物品がはみ出てポケットの外に落ちやすく、着用する者の財産が紛失してしまった。或いは、ポケットの空間が不十分であるため、物品の一部が外に露出され、泥棒やスリに盗まれ易かった。
【０００４】
このため、一部のズボンのポケットにはボタン等の係合部材が設置され、ポケットの開口部が閉合できるようになっている。これにより、使用者の財産が紛失するのを防ぐことはできるが、ズボン全体の美観に影響が及んだ。
また、面ファスナーが設置される設計が採用され、ポケットが緊密に閉合されるようになっているが、ポケットは後側に位置するため、目視により確認することができず、面ファスナーの貼着が不正確になると、ポケットのアウター生地が歪んで、使用者の着用時の美感を損ねてしまった。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものであり、本考案の目的は、パンツのポケット構成を提供することにある。すなわち、ポケット内部のズボンの脚面には第一縫い目が縫製され、ポケット内の物品がはみ出して落ちたり、紛失するのを防止させることができ、且つ使用者の着用時の美感も保持される。
【課題を解決するための手段】
【０００７】
上述した課題を解決するための本考案に係るパンツのポケット構成は、ズボン本体のズボンの脚部に設置され、第一側辺と、第二側辺と、第三側辺と、第四側辺とを含み、且つ前記第二側辺、前記第三側辺及び前記第四側辺が前記ズボンの脚部の生地に縫合されることでポケットが形成され、前記第一側辺の一端には上部開口を有するアウター生地と、前記ズボンの脚部の生地と前記アウター生地との間に設けられ、第一側辺と、第二側辺と、第三側辺と、第四側辺とを含み、前記第一側辺、前記第二側辺及び前記第三側辺が前記ズボンの脚部の生地に縫合されることで収納空間が形成され、前記第四側辺の一端には下部開口を有する第一縫い目とを備えることを特徴とする。
【０００８】
好ましい実施形態において、前記第一縫い目の第一側辺は前記アウター生地の第一側辺にやや位置を合わせる。
【０００９】
好ましい実施形態において、前記第一縫い目は弾性片体である。
【００１０】
好ましい実施形態において、前記ズボンの脚部の生地は第一生地及び第二生地に更に分けられ、前記第一縫い目の第一側辺は前記第一生地に縫合され、前記第二生地には、第一側辺と、第二側辺と、第三側辺と、第四側辺とを備える第一延伸片が設けられ、また、前記第一延伸片の第一側辺は前記ズボン本体のウエストバンド部に縫合され、前記第二側辺、前記第三側辺、及び前記第四側辺は前記第二生地に縫合される。
【００１１】
好ましい実施形態において、前記第一延伸片のポケットに向けられる表面に縫合される第二縫い目を更に有する。
【００１２】
好ましい実施形態において、前記第二縫い目は前記第一縫い目に対する位置に設置され、且つ前記第二縫い目の面積は前記第一縫い目の面積よりやや大きい。
【００１３】
好ましい実施形態において、前記第一生地の内側には、第一側辺と、第二側辺と、第三側辺と、第四側辺とを備える第二延伸片が更に設けられ、また、前記第二延伸片の第四側辺は前記第一生地及び前記第一縫い目の第一側辺に縫合され、前記第一延伸片の第二側辺及び第三側辺は前記第二延伸片の第二側辺及び第三側辺に相互に縫合され、前記第二延伸片の第一側辺も前記ズボン本体のウエストバンド部に縫合される。
【考案の効果】
【００１４】
本考案によれば、空間形態が革新的である上、従来の物品に上述の多くの効果が加えられる。
【図面の簡単な説明】
【００１５】
【図１】本考案の好ましい実施形態によるパンツのポケット構成及びパンツ本体が縫合される概略図である。
【図２】本考案の好ましい実施形態によるパンツのポケット構成を示す概略図である。
【図３】本考案の好ましい実施形態によるパンツのポケット構成を示す第一断面図である。
【図４】本考案の好ましい実施形態によるパンツのポケット構成を示す第二断面図である。
【図５】本考案の好ましい実施形態によるパンツのポケット構成を示す第三断面図である。
【図６】本考案の好ましい実施形態によるパンツのポケット構成を示す第四断面図である。
【図７】本考案の好ましい実施形態によるパンツのポケット構成を示す第五断面図である。
【図８】本考案の好ましい実施形態によるパンツのポケット構成及びパンツ本体が縫合される部分の展開図である。
【考案を実施するための形態】
【００１６】
以下、本考案の実施形態について、図面を参照しながら説明する。なお、本考案は、以下に説明する実施形態に限定されるものではない。
【実施例】
【００１７】
（第１実施形態）
本考案に係るズボンのポケット構成１０はズボン本体２０のズボンの脚部２１に設置され、第一側辺１１１と、第二側辺１１２と、第三側辺１１３と、第四側辺１１４とを含み、前記第二側辺１１２、前記第三側辺１１３及び前記第四側辺１１４が前記ズボンの脚部２１の生地に縫合されることでポケット１３が形成される。
前記第一側辺１１１の一端には上部開口１２を有するアウター生地１１と、弾性片体（例えば、弾性生地或いは弾性バンド）であり、前記ズボンの脚部２１の生地と前記アウター生地１１との間に設けられ、第一側辺１４１と、第二側辺１４２と、第三側辺１４３と、第四側辺１４４とを含み、前記第一側辺１４１、前記第二側辺１４２及び前記第三側辺１４３が前記ズボンの脚部２１の生地に縫合されることで収納空間１６が形成され、且つ前記第四側辺１４４の一端には下部開口１５を有する第一縫い目１４とを備える。
故に、使用者が物品をポケット１３に入れると、物品のポケットからはみ出す部分が第一縫い目１４の収納空間１６内に収納され、使用者が座ったり屈む際に前記上部開口１２から物品がはみ出して、落ちて紛失するのを回避させる。また、前記第一縫い目１４の第一側辺１４１は前記アウター生地１１の第一側辺１１１に位置を合わせられるため、第一側辺１４１は隠される形になり、美観を維持させる効果を達成できる（図１乃至図３参照）。
【００１８】
次に、図４及び図８に示すように、前記ズボンの脚部２１の生地は第一生地２１１及び第二生地２１２に更に分けられる。前記第一縫い目１４の第一側辺１４１は前記第一生地２１１に縫合され、前記第二生地２１２には、第一側辺１７１と、第二側辺１７２と、第三側辺１７３と、第四側辺１７４とを含む第一延伸片１７が設けられる。
前記第一延伸片１７の第一側辺１７１は前記ズボン本体２０のウエストバンド部２２に縫合され、前記第二側辺１７２、前記第三側辺１７３、及び前記第四側辺１７４は前記第二生地２１２に縫合される。形成される収納空間１６により、使用者が長い物品を入れても物品が外に露出されなくなり、物品が盗難や紛失に遭う危険性が低下する。  
【００１９】
図５及び図８では、前記第一縫い目１４に対する位置に設置される第二縫い目１８を更に有し、且つ前記第二縫い目１８の面積は前記第一縫い目１４の面積よりやや大きい。前記第一生地２１１或いは前記第二生地２１２と同じ模様の第二縫い目１８が縫合されることで、使用者の着用時に、前記第一生地２１１或いは前記第二生地２１２と異なる模様の第一延伸片１７が現れるのを回避して、美感を失わないようにする。
【００２０】
このほか、前記第二生地２１２及び前記第一延伸片１７の間に第二縫い目１８を有するか否かによらず、共に前記第一生地２１１の内側に第二延伸片１９が更に設けられ、且つ前記第二延伸片１９は第一側辺１９１と、第二側辺１９２と、第三側辺１９３と、第四側辺１９４とを備える。
前記第二延伸片１９の第四側辺１９４は前記第一生地２１１及び前記第一縫い目１４の第一側辺１４１に縫合され、前記第一延伸片１７の第二側辺１７２及び第三側辺１７３は前記第二延伸片１９の第二側辺１９２及び第三側辺１９３に更に相互に縫合され、前記第二延伸片１９の第一側辺１９１も前記ズボン本体２０のウエストバンド部２２に縫合される。前記第一延伸片１７及び前記第二延伸片１９により前記ズボンの脚部２１の内側に収納空間１６が形成される（図６乃至図８参照）。
【００２１】
上述したように、本考案はズボンのポケット構成を確実に提供し、ポケット内部のズボンの脚面に第一縫い目が縫製され、ポケット内の物品がはみ出して落ちたり紛失するのを防止させるのみならず、使用者の着用時の美感を保持させる。または、他の片部材に更に縫合されて、ポケットの容量が増加され、美観が向上する。  
【００２２】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれるものとする。
【符号の説明】
【００２３】
１０  ズボンのポケット構成
１１  アウター生地
１１１  第一側辺
１１２  第二側辺
１１３  第三側辺
１１４  第四側辺
１２  上部開口
１３  ポケット
１４  第一縫い目
１４１  第一側辺
１４２  第二側辺
１４３  第三側辺
１４４  第四側辺
１５  下部開口
１６  収納空間
１７  第一延伸片
１７１  第一側辺
１７２  第二側辺
１７３  第三側辺
１７４  第四側辺
１８  第二縫い目
１８１  第一側辺
１８２  第二側辺
１８３  第三側辺
１８４  第四側辺
１９  第二延伸片
１９１  第一側辺
１９２  第二側辺
１９３  第三側辺
１９４  第四側辺
２０  ズボン本体
２１  ズボンの脚部
２１１  第一生地
２１２  第二生地
２２  ウエストバンド部
【図１】
0003205460.tif 000003
【図２】
0003205460.tif 000004
【図３】
0003205460.tif 000005
【図４】
0003205460.tif 000006
【図５】
0003205460.tif 000007
【図６】
0003205460.tif 000008
【図７】
0003205460.tif 000009
【図８】
0003205460.tif 000010